(57)【要約】      （修正有）【課題】単結晶シリコンを効率的に使用する太陽電池セルユニット、配線シート付き配線ユニット及び太陽電池モジュールを提供する。【解決手段】正八角形の外形を有する太陽電池セルを分割して得られる、正八角形の４辺を含み対向する辺が全て平行の六角形の外形を有する第１の太陽電池セル１０ａと、正八角形の一辺を斜辺とした直角三角形の外形を有する第２、第３、第４及び第５の太陽電池セル１０ｂ、１０ｃ、１０ｄを用い、第１の太陽電池セル１０ａの４辺に、第２〜第５の太陽電池セル１０ｂ、１０ｃ、１０ｄの斜辺を対向させて略長方形の外形を形成した。【選択図】図４
2014045159.tif 000002
【特許請求の範囲】
【請求項１】
正八角形の外形を有する太陽電池セルを分割して得られる、正八角形の４辺を含み対向する辺が全て平行の六角形の外形を有する第１の太陽電池セルと、正八角形の一辺を斜辺とした直角三角形の外形を有する第２、第３、第４及び第５の太陽電池セルを用い、
前記第１の太陽電池セルの４辺に、前記第２〜第５の各太陽電池セルの斜辺を対向させて略長方形の外形を形成した太陽電池セルユニット。
【請求項２】
前記第１〜第５の各太陽電池セルは、第１導電型の半導体基板、前記半導体基板の一方の面に形成された、第１導電型拡散層、及び、前記第１導電型とは異なる導電型の第２導電型拡散層、並びに、前記第１導電型拡散層上に形成した第１導電型用電極、及び、前記第２導電型拡散層上に形成した第２導電型用電極からなる請求項１に記載の太陽電池セルユニット。
【請求項３】
前記半導体基板は、単結晶シリコンである請求項２に記載の太陽電池セルユニット。
【請求項４】
前記第１導電型用電極及び第２導電型用電極は、回転対称に形成された請求項２または３に記載の太陽電池セルユニット。
【請求項５】
請求項２〜４のいずれか１つに記載の太陽電池セルユニットと、
絶縁性基材と、前記絶縁性基材上に形成された、第１導電型用配線及び第２導電型用配線とからなる配線シートとを含み、
前記太陽電池セルユニットの前記第１導電型用電極は前記第１導電型用配線に接続され、前記太陽電池セルユニットの前記第２導電型用電極は前記第２導電型用配線に接続される配線シート付き太陽電池セルユニット。
【請求項６】
前記配線シート付き太陽電池セルユニットは、複数の前記太陽電池セルユニットを含み、
前記配線シートは、前記絶縁性基材上に形成された接続用配線を有し、
前記太陽電池セルユニットに接続された前記第１導電型用配線と、隣接する前記太陽電池セルユニットに接続された前記第２導電型用配線は、前記接続用配線により接続されている、請求項５に記載の配線シート付き太陽電池セルユニット。
【請求項７】
請求項５または６に記載の配線シート付き太陽電池セルユニットが封止材中に封止された、太陽電池モジュール。
【発明の詳細な説明】
【技術分野】
【０００１】
本発明は太陽電池セルユニット、配線シート付き太陽電池セルユニット及び太陽電池モジュールに関する。
【背景技術】
【０００２】
将来の需給が懸念され、かつ地球温暖化現象の原因となる二酸化炭素排出の問題がある石油等の化石燃料の代替エネルギー源として太陽電池が注目されている。
【０００３】
この太陽電池は光エネルギーを電力に変換する光電変換層にｐｎ接合を用いており、このｐｎ接合を構成する太陽電池セルの基板として、一般的にはシリコンウエハが用いられている。
【０００４】
シリコンウエハを基板とする太陽電池セルには、単結晶シリコンウエハを基板に用いた単結晶シリコン太陽電池セルと、多結晶シリコンウエハを基板に用いた多結晶シリコン太陽電池セルがある。単結晶シリコン太陽電池セルはセル中に結晶欠陥が無い分、多結晶シリコン太陽電池セルより発電効率に優れている。単結晶シリコン太陽電池の基板となる単結晶シリコンウエハは、単結晶シリコンインゴットを輪切りにすることにより得られる。現在一般に実用化されている製造方法で製造された単結晶シリコンインゴットはいずれも円柱状であるため、単結晶シリコンウエハの形状も必然的に円形となる。したがって、円形の単結晶シリコンウエハの全てを用いて円形の単結晶シリコン太陽電池セルを作製し、それを複数枚使って太陽電池モジュールを作製した場合、平面上に隙間無く並べることが出来ないという問題がある。上記問題を解決するため、円柱状の単結晶シリコンインゴットから四角形の単結晶シリコンウエハを切り出して作られた四角形の単結晶シリコン太陽電池セルを作製し、それを複数枚使って太陽電池モジュールを作製する方法がある。しかし、この方法では、円柱状の単結晶シリコンインゴットをそのまま輪切りにして得られる円形の単結晶シリコンウエハ面積に比べて６３．７％しか太陽電池セルとして用いることが出来ないという問題があった。
【０００５】
上記問題を解決する手段として、特許文献１が開示されている。図９は、特許文献１に開示された太陽電池素子及び太陽電池モジュールを示す図である。まず、図９（ａ）において、１０６は台形状の太陽電池素子であり、円柱状のインゴットを正六角柱状にカットし、その後、ウェハ状にスライスし、接合形成，電極形成等のプロセスを経て図９（ｂ）に示す正六角形状の素子１０５を形成し、その後、ダイシングソー，スクライバ等により、正六角形状の素子１０５を、対向する頂点を結ぶ線により台形状に２分割している。
【０００６】
１０７は五角形状の太陽電池素子であり、正六角形状の素子１０５を、対向する辺の中心を結ぶ線により五角形状に２分割している。
【０００７】
つぎに図９（ａ）に示す長方形の太陽電池モジュール１０８を形成する場合、２個の台形状の素子１０６を組み合わせて正六角形状に形成し、この正六角形状の素子を上下左右に隣接して配列し、左側及び右側の欠如部に、それぞれ台形状の素子１０６を、隣接する各素子１０６と対向する辺が平行関係になるように配列し、左側及び右側の各素子の側縁を直線状にする。
【０００８】
さらに、上端部及び下端部にそれぞれ五角形状の素子１０７を、隣接する各素子１０６と対向する辺が平行関係になるように配列し、上端部及び下端部の各素子１０７の側縁を直線状にする。
【０００９】
さらに、接続線１０９の実線は素子１０６，１０７の上面に位置し、破線は素子１０６，１０７の裏面に位置している。
【００１０】
そして、接続線１０９は、左側の上端部の素子１０７から下方の各素子１０６及び下端部の素子１０７を経、その下端部の素子１０７から前記左側の各素子１０６の右側に隣接した上方の各素子１０６を経、上端の素子１０６から右側に隣接した素子１０６を経て下方の各素子１０６及び下端部の素子１０７を経、この素子１０７から前記と同様上方の各素子１０６を接続し、最後に上端部の素子１０７を接続している。
【００１１】
以上の構成により、特許文献１の発明は、切り捨てる部分の少ない太陽電池素子を提供し、かつ、大きな有効面積を有する太陽電池モジュールを提供するとしている。
【先行技術文献】
【特許文献】
【００１２】
【特許文献１】特開平９−１４８６０１号公報
【発明の概要】
【発明が解決しようとする課題】
【００１３】
しかしながら、特許文献１の太陽電池素子及び太陽電池モジュールにおいても、元の円形の単結晶シリコンウエハの８２．３％しか太陽電池素子に使用することが出来ないという問題があった。
【００１４】
本発明の目的は、単結晶シリコンウエハを効率的に使用する太陽電池セルユニット、配線シート付き太陽電池セルユニット及び太陽電池モジュールを提供することにある。
【課題を解決するための手段】
【００１５】
本発明に係る太陽電池セルユニットは、正八角形の外形を有する太陽電池セルを分割して得られる、正八角形の４辺を含み対向する辺が全て平行の六角形の外形を有する第１の太陽電池セルと、正八角形の一辺を斜辺とした直角三角形の外形を有する第２、第３、第４及び第５の太陽電池セルを用い、第１の太陽電池セルの４辺に、第２〜第５の各太陽電池セルの斜辺を対向させて略長方形の外形を形成した。
【００１６】
ここで、本発明に係る太陽電池セルユニットは、第１〜第５の各太陽電池セルは、第１導電型の半導体基板、半導体基板の一方の面に形成された、第１導電型拡散層、及び、第１導電型とは異なる導電型の第２導電型拡散層、並びに、第１導電型拡散層上に形成した第１導電型用電極、及び、第２導電型拡散層上に形成した第２導電型用電極からなることが好ましい。
【００１７】
また、本発明に係る太陽電池セルユニットは、半導体基板は、単結晶シリコンであることが好ましい。
【００１８】
また、本発明に係る太陽電池セルユニットは、第１導電型用電極及び第２導電型用電極は、回転対称に形成されたことが好ましい。
【００１９】
また、本発明に係る配線シート付き太陽電池セルユニットは、太陽電池セルユニットと、絶縁性基材と、絶縁性基材上に形成された第１導電型用配線及び第２導電型用配線とからなる配線シートとを含み、太陽電池セルユニットの第１導電型用電極は第１導電型用配線に接続され、太陽電池セルユニットの第２導電型用電極は第２導電型用配線に接続されることが好ましい。
【００２０】
また、本発明に係る配線シート付き太陽電池セルユニットは、複数の太陽電池セルユニットを含み、配線シートは、絶縁性基材上に形成された接続用配線を有し、太陽電池セルユニットに接続された第１導電型用配線と、隣接する太陽電池セルユニットに接続された第２導電型用配線は、接続用配線により接続されていることが好ましい。
【００２１】
また、本発明に係る太陽電池モジュールは、配線シート付き太陽電池セルユニットが封止材中に封止されていることが好ましい。
【発明の効果】
【００２２】
本発明により、単結晶シリコンウエハを効率的に使用する太陽電池セルユニット、配線シート付き太陽電池セルユニット及び太陽電池モジュールを提供することが可能となる。
【図面の簡単な説明】
【００２３】
【図１】本発明の第１の実施形態に係る太陽電池セルユニットに用いられる正八角形の太陽電池セルを電極のある側から見た平面図である。
【図２】図１の正八角形の太陽電池セル１０のＹ−Ｙ´における断面図である。
【図３】本発明の第１の実施形態に係る太陽電池セルユニットに用いられる正八角形の太陽電池セルの分割方法を示す図である。
【図４】本発明の第１の実施形態に係る太陽電池セルユニットを電極のある側から見た平面図である。
【図５】本発明の第１の実施形態に係る配線シート付き太陽電池セルユニットを受光面側から見た平面図である。
【図６】本発明の第１の実施形態に係る配線シート付き太陽電池セルユニットの配線シートを太陽電池セルユニットのある側から見た平面図である。
【図７】本発明の第１の実施形態に係る太陽電池モジュールの模式的断面図である。
【図８】本発明の第２の実施形態に係る太陽電池セルユニットを電極のある側から見た平面図である。
【図９】特許文献１に開示された太陽電池素子及び太陽電池モジュールを示す図である。
【発明を実施するための形態】
【００２４】
以下本発明に係る太陽電池セルユニット、配線シート付き太陽電池セルユニット及び太陽電池モジュールの構造を図を用いて説明する。以降、本願において、複数の太陽電池セルを組み合わせて一体で取り扱うものを太陽電池セルユニットと称する。
【００２５】
〔第１の実施形態〕
図１は、本発明の第１の実施形態に係る太陽電池セルユニットに用いられる正八角形の太陽電池セルを電極のある側から見た平面図である。正八角形の太陽電池セル１０は、第１導電型の正八角形の半導体基板１１と、正八角形の半導体基板１１の一方の面のみに形成された、第１導電型用電極１２ａ、１２ｂ、１２ｃ、１２ｄ及び１２ｅと、第１導電型とは異なる導電型用の電極である第２導電型用電極１３ａ、１３ｂ、１３ｃ、１３ｄ及び１３ｅからなる。以降、正八角形の半導体セル１０の各頂点を図１の左端の頂点から右回りにＡ，Ｂ，Ｇ，Ｃ，Ｄ，Ｅ，Ｈ，Ｆとし、点Ｇから直線ＢＣに下ろした垂線との交点をＰ、点Ｈから直線ＥＦに下ろした垂線との交点をＱとする。
【００２６】
正八角形の半導体基板１１は、たとえば、単結晶シリコンなどの円柱の半導体インゴットを正八角柱に切り出し、それを輪切りにすることにより得られる。円柱の半導体インゴットをそのまま輪切りにすることにより得られる円形の半導体基板に対し、正八角形の半導体基板１１の面積は最大で９０％となる。
【００２７】
第１導電型用電極１２ａ及び第２導電型用電極１３ａは、いずれも正八角形の太陽電池セル１０の６つの頂点Ａ、Ｂ、Ｃ、Ｄ、Ｅ、Ｆに囲まれた領域内に形成され、辺ＢＣと平行な帯状形状をしている。また、第１導電型用電極１２ａ及び第２導電型用電極１３ａの中で辺ＢＣに最も近い電極の中心と辺ＢＣまでの距離はＬで、第１導電型用電極１２ａ及び第２導電型用電極１３ａの中で辺ＥＦに最も近い電極の中心と辺ＥＦまでの距離もＬである。また、第１導電型用電極１２ａと第２導電型用電極１３ａはピッチΔで交互に形成されている。
【００２８】
第１導電型用電極１２ｂ及び第２導電型用電極１３ｂは、いずれも正八角形の太陽電池セル１０の２つの頂点Ｃ、Ｇと点Ｐとに囲まれた直角三角形の領域内に形成され、辺ＧＰと平行な帯状形状をしている。第１導電型用電極１２ｂ及び第２導電型用電極１３ｂの中で辺ＧＰに最も近い電極の中心と辺ＧＰまでの距離はＬで、第１導電型用電極１２ｂと第２導電型用電極１３ｂはピッチΔで交互に形成されている。
【００２９】
第１導電型用電極１２ｃ及び第２導電型用電極１３ｃは、いずれも正八角形の太陽電池セル１０の２つの頂点Ｂ、Ｇと点Ｐとに囲まれた直角三角形の領域内に形成され、辺ＧＰと平行な帯状形状をしている。第１導電型用電極１２ｃ及び第２導電型用電極１３ｃの中で辺ＧＰに最も近い電極の中心と辺ＧＰまでの距離はＬで、第１導電型用電極１２ｃと第２導電型用電極１３ｃはピッチΔで交互に形成されている。
【００３０】
第１導電型用電極１２ｄ及び第２導電型用電極１３ｄは、いずれも正八角形の太陽電池セル１０の２つの頂点Ｆ、Ｈと点Ｑとに囲まれた直角三角形の領域内に形成され、辺ＨＱと平行な帯状形状をしている。第１導電型用電極１２ｄ及び第２導電型用電極１３ｄの中で辺ＨＱに最も近い電極の中心と辺ＨＱまでの距離はＬで、第１導電型用電極１２ｄと第２導電型用電極１３ｄはピッチΔで交互に形成されている。
【００３１】
第１導電型用電極１２ｅ及び第２導電型用電極１３ｅは、いずれも正八角形の太陽電池セル１０の２つの頂点Ｅ、Ｈと点Ｑとに囲まれた直角三角形の領域内に形成され、辺ＨＱと平行な帯状形状をしている。第１導電型用電極１２ｅ及び第２導電型用電極１３ｅの中で辺ＨＱに最も近い電極の中心と辺ＨＱまでの距離はＬで、第１導電型用電極１２ｅと第２導電型用電極１３ｅはピッチΔで交互に形成されている。
【００３２】
図２は、図1の正八角形の太陽電池セル１０のＹ−Ｙ´における断面図である。正八角形の太陽電池セル１０は、正八角形の半導体基板１１の一方の面側にピラミッド状の凹凸構造であるテクスチャ構造１４が形成されており、テクスチャ構造１４上には反射防止膜１５が形成されている。また、八角形の半導体基板１１のもう一方の面側には、第１導電型拡散層１６ａ及び第２導電型拡散層１７ａがピッチΔで交互に形成されている。また、第１導電型拡散層１６ａ及び第２導電型拡散層１７ａ上には、絶縁性の材料からなるパッシベーション膜１８が形成されている。また、第１導電型拡散層１６ａ上及び第２導電型拡散層１７ａ上のパッシベーション膜１８には、コンタクトホール１９が開口されている。さらに、第１導電型拡散層１６ａ上のコンタクトホール１９上には第１導電型用電極１２ａが形成され、第２導電型拡散層１７ａ上のコンタクトホール１９上には第２導電型用電極１３ａが形成されている。そして、第１導電型用電極１２ａ及び第２導電型用電極１３ａはピッチΔで交互に形成されている。
【００３３】
なお、図による説明は省略するが、第１導電型用電極１２ｂ〜１２ｅ及び第２導電型用電極１３ｂ〜１３ｅにおいても、図２で示した第１導電型用電極１２ａ及び第２導電型用電極１３ａと同一の断面構造を有している。
【００３４】
図３は、本発明の第１の実施形態に係る太陽電池セルユニットに用いられる正八角形の太陽電池セルの分割方法を示す図である。図1で示した正八角形の太陽電池セル１０を、辺ＢＣ及び辺ＥＦに沿って分割することにより、六角形の外形を有する第１の太陽電池セル１０ａが得られる。第１の太陽電池セル１０ａの外形を構成する６つの辺のうち、辺ＡＢ、辺ＣＤ、辺ＤＥ及び辺ＦＡの４つの辺は図１で示した分割前の正八角形の太陽電池セル１０の外形を構成していた辺のうちの４辺であるため同じ長さであり、さらに対向する辺の関係にある辺ＡＢと辺ＤＥ、辺ＣＤと辺ＦＡはそれぞれ平行である。また、分割により形成された辺ＢＣ及び辺ＥＦも同じ長さで、かつ平行である。
【００３５】
次に、第１の太陽電池セル１０ａを得た時に得られる２つの二等辺三角形の太陽電池セルをそれぞれ辺ＧＰ及び辺ＱＨで二等分することにより、それぞれが直角三角形の外形を有する第２の太陽電池セル１０ｂ、第３の太陽電池セル１０ｃ、第４の太陽電池セル１０ｄ及び第５の太陽電池セル１０ｅが得られる。第２〜第５の太陽電池セル１０ｂ〜１０ｅのそれぞれの斜辺は、図1で示した分割前の正八角形の太陽電池セル１０の外形を構成していた辺のうちの１つである。したがって、第２〜第５の太陽電池セル１０ｂ〜１０ｅのそれぞれの斜辺は、第１の太陽電池セル１０ａの同じ長さの４つのである辺ＡＢ、辺ＣＤ、辺ＤＥ及び辺ＦＡと同じ長さを有する。
【００３６】
図４は、本発明の第１の実施形態に係る太陽電池セルユニットを電極のある側から見た平面図である。太陽電池セルユニット２は、図３で示した方法で形成された第１〜第５の各太陽電池セル１０ａ〜１０ｅからなり、第１の太陽電池セル１０ａの同じ長さの４つの辺と、第２〜第５の各太陽電池セル１０ｂ〜１０ｅの斜辺とを向かい合わせて配置することで略長方形の外形を形成している。
【００３７】
太陽電池セルユニット２は以下の手順で形成される。まず、第１の太陽電池セル１０ａを配置する。次に、第２の太陽電池セル１０ｂを、第１の太陽電池セル１０ａの辺ＡＢと第２の太陽電池セル２ｂの斜辺が向かい合い、かつ第１の太陽電池２ａの辺ＢＣと第２の太陽電池セル２ｂの短い方の隣辺が一直線になるように配置する。次に、第３の太陽電池セル２ｃを、第１の太陽電池セル１０ａの辺ＣＤと第３の太陽電池セル１０ｃの斜辺が向かい合い、かつ第１の太陽電池１０ａの辺ＢＣと第３の太陽電池セル１０ｃの短い方の隣辺が一直線になるように配置する。次に、第４の太陽電池セル１０ｄを、第１の太陽電池セル１０ａの辺ＤＥと第４の太陽電池セル１０ｄの斜辺が向かい合い、かつ第１の太陽電池セル１０ａの辺ＥＦと第４の太陽電池セル１０ｄの短い方の隣辺が一直線になり、かつ第３の太陽電池セル１０ｃの長い方の隣辺と第４の太陽電池セル１０ｄの長い方の隣辺とが一直線になるように配置する。最後に、第５の太陽電池セル１０ｅを、第１の太陽電池セル１０ａの辺ＦＡと第５の太陽電池セル１０ｅの斜辺が向かい合い、かつ第１の太陽電池１０ａの辺ＥＦと第５の太陽電池セル１０ｅの短い方の隣辺が一直線になり、かつ第２の太陽電池セル１０ｂの長い方の隣辺と第５の太陽電池セル１０ｅの長い方の隣辺とが一直線になるように配置することにより、略長方形の外形を形成する太陽電池セルユニット２が形成される。
【００３８】
第２の太陽電池セル１０ｂの第１導電型用電極１２ｂ及び第３の太陽電池セル１０ｃの第１導電型用電極１２ｃは、それぞれ第１の太陽電池セル１０ａの第１導電型用電極１２ａの延長線上に配置されている。同様に、第２導電型用電極１３ｂ及び第２導電型用電極１３ｃは、第２導電型用電極１３ａの延長線上に配置されている。
【００３９】
また、第４の太陽電池セル１０ｄの第１導電型用電極１２ｄ及び第５の太陽電池セル１０ｅの第１導電型用電極１２ｅは、それぞれ第１の太陽電池セル１０ａの第１導電型用電極１２ａの延長線上に配置されている。同様に、第２導電型用電極１３ｄ及び第２導電型用電極１３ｅは、第２導電型用電極１３ａの延長線上に配置されている。
【００４０】
図５は、本発明の第１の実施形態に係る配線シート付き太陽電池セルユニットの平面図である。配線シート付き太陽電池セルユニット１は、太陽電池セルユニット２と、配線シート３からなる。そして、複数の太陽電池セルユニット２は、電極のある側を下にして配線シート３上に配置されている。
【００４１】
図６は、本発明の第１の実施形態に係る配線シート付き太陽電池セルユニット１の配線シート３を太陽電池セルユニット２のある側から見た平面図である。配線シート３は、絶縁性基材３１の上に、第１導電型用配線３２、第２導電型用配線３３、接続用配線３４、第１導電型用出力取り出し配線３５及び第２導電型用出力取り出し配線３６が形成されている。
【００４２】
第１導電型用配線３２、第２導電型用配線３３は、複数の接続用配線３４の長手方向と直交する方向に形成されている。第1導電型用配線３２は、接続用配線３４の一方の側に櫛歯状に延伸しており、第２導電型用配線３３は、接続用配線３４の逆側に櫛歯状に延伸している。さらに、第１導電型用配線３２は第１導電型用出力取り出し配線３５からも櫛歯状に延伸しており、第２導電型用配線３３は第２導電型用出力取り出し配線３６からも櫛歯状に延伸している。そして、第１導電型用配線３２と第２導電型用配線３３とは、ピッチΔで交互且つ平行に形成されている。
【００４３】
そして、配線シート付き太陽電池セルユニット１は、太陽電池セルユニット２の第１導電型電極１２ａ〜１２ｅと配線シート３の第１導電型用配線３２とが接続され、太陽電池セルユニット２の第２導電型電極１３ａ〜１３ｅと配線シート３の第２導電型用配線３３とが接続されている。
【００４４】
上記構造により、配線シート付き太陽電池セルユニット１は、複数の太陽電池セルユニット２を電気的に直列に接続した構造となっている。
【００４５】
また、本発明の実施例１に係る配線シート付き太陽電池セルユニット１を用いて、本発明の実施形態１に係る太陽電池モジュールが作製される。
【００４６】
図７は、本発明の第１の実施形態に係る太陽電池モジュールの模式的断面図である。太陽電池モジュール４０は、配線シート付き太陽電池１、表面保護材４１、裏面保護材４２、封止材４３から構成される。
【００４７】
太陽電池モジュール４０は、配線シート付き太陽電池セルユニット１が、表面保護材４１と裏面保護材４２との間の封止材４３中に封止されることにより作製される。
【００４８】
〔第２の実施形態〕
図８は、本発明の第２の実施形態に係る太陽電池セルユニットを電極のある側から見た平面図である。
【００４９】
本発明の第２の実施形態に係る太陽電池セルユニット５０は、六角形の外形である第１の太陽電池セル５０ａと、直角三角形の外形である第２の太陽電池セル５０ｂが２つと、第２の太陽電池セル５０ｂとは線対称の外形である第３の太陽電池セル５０ｃが２つとから構成され、それぞれの太陽電池セルは、第１導電型電極５２ａ〜５２ｃ及び第２導電型用電極５３ａ〜５３ｃを有している。第１の実施形態に係る太陽電池セルユニット２と、第２の実施形態に係る太陽電池セルユニット５０との違いは、回転対称性を有している点であり、これに伴い、第１の太陽電池セル５０ａでは、両端が第１導電型用電極５２ａになるように、第１導電型用電極５２ａ及び第２導電型用電極５３ａが配置されている。また、太陽電池セル５０ａの辺ＡＢとＤＥに向き合うセルが、どちらも太陽電池セル５０ｂであり、同様に、太陽電池セル５０aの辺ＤＣとＡＦに向き合うセルが、どちらも太陽電池セル５０ｃである。
【００５０】
太陽電池セルユニット５０が回転対称性を有することにより、第１の実施形態に係る太陽電池セルユニット２における第４の太陽電池セル１０ｄは第２の太陽電池セル１０ｂに置き換えることが出来る。同様に、第１の実施形態に係る太陽電池セルユニット２における第５の太陽電池セル１０ｅは第３の太陽電池セル１０ｃに置き換えることが出来る。
【００５１】
第１の実施形態に係る太陽電池セルユニット２を製造するには、第２〜第５の太陽電池セル１０ｂ〜１０ｅを区別しながら太陽電池セルユニット２を製造する必要がある。理由は、第２の太陽電池セル１０ｂと第４の太陽電池セル１０ｄ、及び第３の太陽電池セル１０ｃと第５の太陽電池セル１０ｅとは、それぞれの第１、第２導電型用電極の配置が入れ替わっている可能性があるからである。しかし、これらを外見で区別するのは困難である。本発明に係る第２の太陽電池セルユニット５０では、第２の太陽電池セル５０ｂと、第３の太陽電池セル５０ｃのそれぞれ２つずつで構成されているため、前記の様な区別をする必要が無い。これにより、第２の実施形態に係る太陽電池セルユニット５０は、第１の実施形態に係る太陽電池セルユニット２に比べ、製造工程の簡素化が可能となる。
【００５２】
なお、図による説明は省略するが、第２の実施形態に係る太陽電池セルユニット５０の第１及び第２導電型用電極の配置に対応した配線シートを用いることにより、第１の実施形態に係る配線シート付き太陽電池セルユニット１と同様の配線シート付き太陽電池セルユニット及び太陽電池モジュールを製造することが出来る。
【００５３】
なお、本発明は上記実施形態に限定されるものではなく、本発明の範囲内で上記実施形態に多くの修正及び変更を加え得ることはもちろんである。
【００５４】
本発明に係る配線シート付き太陽電池セルユニット及び太陽電池モジュールは、複数の太陽電池セルユニットを縦横に並べたものであってもよい。
【００５５】
また、本発明に係る配線シート付き太陽電池セルユニット及び太陽電池モジュールに用いられる配線シートは、絶縁性基板の接続用配線を第１導電型用配線及び第２導電型用配線の形成されている面とは反対の面に形成された接続用配線と、第１導電型用配線及び第２導電型用配線と接続用配線の接続する絶縁性基板を貫通する貫通配線を有するものであってもよい。
【符号の説明】
【００５６】
１…配線シート付き太陽電池セルユニット
２，５０…太陽電池セルユニット
３…配線シート
１０…正八角形の太陽電池セル
１０ａ〜１０ｅ，５０ａ〜５０ｃ…太陽電池セル
１１…正八角形の半導体基板
１２ａ〜１２ｅ，５２ａ〜５２ｅ…第１導電型用電極
１３ａ〜１３ｅ，５３ａ〜５３ｅ…第２導電型用電極
１４…テクスチャ構造
１５…反射防止膜
１６ａ…第１導電型拡散層
１７ａ…第２導電型拡散層
１８…パッシベーション膜
１９…コンタクトホール
３１…絶縁性基材
３２…第１導電型用配線
３３…第２導電型用配線
３４…接続用配線
３５…第１導電型用出力取り出し配線
３６…第２導電型用出力取り出し配線
４０…太陽電池モジュール
４１…表面保護材
４２…裏面保護材
４３…封止材
【図１】
2014045159.tif 000003
【図２】
2014045159.tif 000004
【図３】
2014045159.tif 000005
【図４】
2014045159.tif 000006
【図５】
2014045159.tif 000007
【図６】
2014045159.tif 000008
【図７】
2014045159.tif 000009
【図８】
2014045159.tif 000010
【図９】
2014045159.tif 000011